(57)【要約】【課題】  遊技者がホール内の煙草の臭いを感じることなく遊技ができるとともに、アロマテラピー効果によってリラックスして遊技を楽しむことができる遊技機を提供する。【解決手段】  下パネル内部に着脱可能な収納ケースを設け、その収納ケースにアロマテラピー効果のある香料と、香料を加熱して香りを拡散させるための電熱線を設け、電熱線によって拡散した香りを下パネルに設けた排気口より放出する。【選択図】  図５
2006197999.tif 000002
【特許請求の範囲】
【請求項１】
筐体に設けられた開口部と、
所定の香りを発する香料剤と、
前記香料剤の香りの放出を制御する香り放出制御手段と、を有し、
所定の条件を満たした場合、前記香り放出制御手段の制御により、該香料剤の香りを前記開口部より放出することを特徴とする遊技機。
【請求項２】
役の抽選を行う役抽選手段と、
前記役抽選手段の抽選の結果、所定の役が当選したか否かを判別する特定役判別手段と、
役を構成する図柄の組み合わせに基づいて、役が入賞したか否かを判別する役入賞判別手段と、をさらに有し、
前記香り放出制御手段は、前記特定役判別手段又は前記役入賞判別手段のうちいずれかの判別結果に基づいて、前記香料剤の香りの放出を制御することを特徴とする請求項１記載の遊技機。
【請求項３】
遊技者に対する質問を表示する表示手段と、
前記遊技者が前記質問に対する回答を入力する入力手段と、をさらに有し、
前記香り放出制御手段は、前記入力手段から入力された回答結果に基づいて、前記香料剤の香りの放出を制御することを特徴とする請求項１又は２記載の遊技機。
【請求項４】
前記香り放出制御手段は、所定の経過時間に基づいて、香りを放出する制御を行うことを特徴とする請求項１から３のいずれか１項に記載の遊技機。
【請求項５】
前記開口部は、開閉手段を有することを特徴とする請求項１から４のいずれか１項に記載の遊技機。
【請求項６】
前記香料剤及び前記香り放出制御手段は、前記筐体に着脱可能な収納手段に収納されることを特徴とする請求項１から５のいずれか１項に記載の遊技機。
【請求項７】
前記香り放出制御手段は、加熱により前記香料剤の香りの放出を制御することを特徴とする請求項１から６のいずれか１項に記載の遊技機。
【発明の詳細な説明】
【技術分野】
【０００１】
本発明は、遊技機に関し、詳しくはアロマテラピー効果のある香りを放出する遊技機に関する。
【背景技術】
【０００２】
現在、ホール等の遊技施設場において煙草の煙害が問題となっている。そのため、遊技場に高性能の空気清浄機を備えたり、遊技島施設に煙草の煙を吸入する機能を有する吸い殻回収装置を備えたりしている。
従来技術例として、各遊技島と吸い殻回収装置が一体となり、ユニット島台として移送、運搬が可能であり、各ユニット島台を任意の位置にレイアウトしても常に自動運搬による吸い殻回収が可能となる「ユニット島台」がある（例えば、特許文献１参照）。
【特許文献１】特開平１０−１７９９０８号公報
【発明の開示】
【発明が解決しようとする課題】
【０００３】
しかしながら、上記特許文献１記載の発明のような大がかりな装置を設備するためには、遊技場施設や遊技島施設の改造に膨大な手間とコストがかかるため導入のネックになっていた。また、遊技施設場に設置された空気清浄機は十分な換気機能を果たしておらず、煙草の煙を吸引しても臭気がホール内に残ってしまうという問題があった。
【０００４】
本発明は、上記事情に鑑みてなされたものであり、アロマテラピー効果のある香料と、香料の香りを拡散させるための香り放出制御手段とを有し、筐体内からアロマテラピー効果のある香りを放出することにより、遊技者が煙草の臭気を感じることなく、リラックスして遊技を行うことができる遊技機を提供することを目的とする。
【課題を解決するための手段】
【０００５】
かかる目的を達成するために、請求項１記載の発明は、筐体に設けられた開口部と、所定の香りを発する香料剤と、香料剤の香りの放出を制御する香り放出制御手段と、を有し、所定の条件を満たした場合、香り放出制御手段の制御により、香料剤の香りを開口部より放出することを特徴とする。
【０００６】
請求項２記載の発明は、請求項１記載の発明において、役の抽選を行う役抽選手段と、役抽選手段の抽選の結果、所定の役が当選したか否かを判別する特定役判別手段と、役を構成する図柄の組み合わせに基づいて、役が入賞したか否かを判別する役入賞判別手段と、をさらに有し、香り放出制御手段は、特定役判別手段又は役入賞判別手段のうちいずれかの判別結果に基づいて、香料剤の香りの放出を制御することを特徴とする。
【０００７】
請求項３記載の発明は、請求項１又は２記載の発明において、遊技者に対する質問を表示する表示手段と、遊技者が質問に対する回答を入力する入力手段と、をさらに有し、香り放出制御手段は、入力手段から入力された回答結果に基づいて、香料剤の香りの放出を制御することを特徴とする。
【０００８】
請求項４記載の発明は、請求項１から３のいずれか１項に記載の発明において、香り放出制御手段は、所定の経過時間に基づいて、香りを放出する制御を行うことを特徴とする。
【０００９】
請求項５記載の発明は、請求項１から４のいずれか１項に記載の発明において、開口部は、開閉手段を有することを特徴とする。
【００１０】
請求項６記載の発明は、請求項１から５のいずれか１項に記載の発明において、香料剤及び香り放出制御手段は、筐体に着脱可能な収納手段に収納されることを特徴とする。
【００１１】
請求項７記載の発明は、請求項１から６のいずれか１項に記載の発明において、香り放出制御手段は、加熱により香料剤の香りの放出を制御することを特徴とする。
【発明の効果】
【００１２】
本発明によれば、遊技者がホール内の煙草の臭いを感じることなく遊技ができるとともに、アロマテラピー効果によってリラックスして遊技を楽しむことができる。
【発明を実施するための最良の形態】
【００１３】
以下、本発明を実施するための最良の形態について添付図面を参照して詳細に説明する。
【実施例】
【００１４】
まず、本実施例の遊技機である、回胴リール装置を備えたスロットマシンの構成について説明する。
本実施例のスロットマシンの外観正面を図１に示す。図１に示すように、本実施例のスロットマシンは、アロマテラピー効果のある香りを筐体外へ放出するための排気口１，２，３を下パネル４に備えている。また、香りを放出しない時のために、排気口１，２，３に対応した開閉可能なシャッター手段（図示せず）をそれぞれ設けてもよい。
【００１５】
本実施例のスロットマシンの内部構成の概略を示す側断面を図２に示す。図２に示すように、本実施例のスロットマシンは、下パネル４の内側（前面扉５内）に着脱可能な収納ケース９を備える。この収納ケース９は、前面扉内に設けられた収納ケース保持部１３によって保持される。図示はしていないが、本実施例では、排気口１，２，３にそれぞれ対応する収納ケースが設けられているものとする。なお、排気口及びそれに対応する収納ケースの数は本実施例に限定されるものではない。
【００１６】
この収納ケース９は、排気口に対応する側に収納ケース開口部１４が設けられている。また、収納ケース開口部１４に対向する側には、着脱時（香料の追加補充時や交換時等）に使用する取っ手１０が設けられており、この取っ手１０を使用することで、収納ケース保持部１３から収納ケース９を引き出したり、収納ケース保持部１３へ収納ケース９を押し込んだりすることができる。収納ケース９の下部には、香料を加熱して香りを拡散させるための電熱線１２が設けられており、この電熱線１２は、図４に示すようにサブ制御基板３００と電気的に接続され、サブ制御基板３００によりオン・オフの制御がされる。なお、本実施例では、電熱線のオン・オフの切り替えは、サブ制御基板３００によって制御されるものとしたが、人手によるオン・オフの切り替えが可能な、独立したスイッチを所定の位置に設けてもよい。
また、本実施例では、香料の加熱手段として電熱線を用いたが、これに限られず、電球熱を利用するライトでもよい。
【００１７】
本実施例に係る収納ケース９の側断面を図３に示す。図３に示すように、収納ケース９の内部には、電熱線１２の上に香料台１５が設置される。香料台１５は上部に受け皿を有しており、この受け皿は香料を入れるために使用される。なお、本実施例では、香料を入れる器として、台状の香料台１５としたが、形状等はこれに限定されるものではない。
【００１８】
香料台１５の受け皿の香料１１は、スイッチがオン状態の電熱線１２によって加熱され、加熱により拡散した香料１１の香りは、収納ケース開口部１４を介して下パネル４に設けた排気口より筐体外へ放出される。なお、本実施例では、複数の排気口１，２，３と、各排気口に対応する収納ケースを設ける構成であるので、別々の香料を各収納ケースに入れることにより、排気口１，２，３から３種類の香りが放出される。
【００１９】
次に、本実施例に係る香料剤（芳香剤）について説明する。
本実施例で使用する香料は、植物等から採取されたものであって、芳香性及び揮発性が高くアロマテラピー効果を有するものであれば、固形状又は液体状（精油）のどちらでもよい。特に精油を使用する場合は、品質が保証されているもの、例えば、純度が高く安全なエッセンシャルオイルが好ましい。アロマテラピー効果を有する香料としては、例えば、気分を高揚させるグレープフルーツ、頭の働きを明晰にし、集中力を高めるユーカリやローズマリー、緊張をほぐし、心を落ち着かせるラベンダー、ベルガモット、カモミール等が挙げられる。
【００２０】
次に、本実施例のスロットマシンの制御動作について図５を参照して説明する。図５は、スロットマシンに対し遊技者の遊技操作等に関する入力が行われ、所定のプログラム処理がなされて処理結果を出力し、その処理結果に応じた動作が実行されるまでの概略を説明するためのブロック図である。このプログラム処理は、コンピュータが制御手段５０を機能させることにより実行される。
【００２１】
制御手段５０は、スロットマシンの遊技の進行や演出等を含むスロットマシン全体を統括制御するための手段であり、演算等を行うＭＰＵと、遊技の進行等に必要なプログラムや演出用のデータ等を記憶しておくＲＯＭと、ＭＰＵが各種制御を行うときに、取り込んだデータ等を一時的に記憶しておくＲＡＭ等とを備える。
【００２２】
制御手段５０の演出用制御手段７０は、図４のサブ制御基板３００に備えられ、演出に関する制御を行う。また、制御手段５０の遊技用制御手段６０は、図４の主制御基板７００に備えられ、遊技の進行に関する制御を行う。
【００２３】
本実施例のスロットマシンは、演出用制御手段７０に電熱線制御手段７７を設けたことを特徴としている。この電熱線制御手段７７は、遊技の内容に連動して電熱線１２のスイッチのオン・オフを制御する機能を有する。例えば、役抽選手段６１の抽選の結果、特定役、例えば所定の小役や特別役が当選したか否かを判別する特定役当選判別手段６２、又は、リール停止制御手段６６の停止制御に基づき全てのリールの停止時に、役を構成する図柄の組み合わせが有効ラインに停止したか否か、つまり役が入賞したか否かを判別する特別役入賞判別手段６７が、当選又は入賞を判定した場合、演出用制御手段７０の電熱線制御手段７７は、特定役当選判別手段６２からの当選信号、又は特別役入賞判別手段６７からの入賞信号を受けて電熱線１２のスイッチをオンにする。また、この場合、電熱線制御手段７７は所定の時間経過後に電熱線１２のスイッチをオフにする。
【００２４】
また、スロットマシンが複数の電熱線を有している場合、電熱線制御手段７７は、予め設定された遊技内容に応じて、予め設定された電熱線のスイッチのオン・オフ切り替えを行う。なお、本実施例では、香料の香りの放出を、加熱する方法で行うものとしたが、これに限られるものではない。
【００２５】
以上のような電熱線制御手段７７のスイッチ切り替え制御により、香りを放出する様々な演出が可能となる。演出例について以下に説明する。なお、以下の各演出例は、演出用制御手段７０の各手段（７１〜７７）にて行われる。また、演出例は以下の内容に限定されるものではない。
【００２６】
（演出例１）
例えば、スロットマシンが複数の収納ケース（香料及び電熱線）を有している場合、サブゲームとして遊技者に対する複数の質問を表示装置等に表示し、遊技者が停止ボタン等で各質問に対する回答を入力すると、各回答の結果に合わせて複数の香料のうち、予め設定された香料を電熱線により加熱し、排気口より香りを放出する。例えば、ラベンダー、グレープフルーツ、及びイランイランといった香料を予め収納ケースに備えておき、「ストレスや緊張を感じる」という回答結果に対してはラベンダー、「ダイエットしたい」という回答結果に対してはグレープフルーツ、「睡眠不足」という回答結果に対してはイランイラン、というように、各回答に合わせて該当する香りを所定の時間の間放出する。本演出例において、サブゲームのデータ、香料放出に係る制御データ（加熱する電熱線の選定、電熱線の加熱時間）は、演出データ記憶手段７３に記憶される。
【００２７】
（演出例２）
スロットマシンの遊技は長時間行われることが一般的である。よって、本演出例では、所定の時間経過後に、定期的に疲労を和らげる効果のある香りを放出するようにする。例えば、肩こりに効果のあるユーカリ、目の疲れに効果のあるベルガモット、集中力アップに効果のあるレモングラスといった香料を予め収納ケースに備えておき、３０分ごとに所定の時間の間、該当する香りを放出する。本演出例において、香料放出に係る制御データ（加熱する電熱線の選定、電熱線の加熱時間）は、演出データ記憶手段７３に記憶される。
【００２８】
以上、本実施例のスロットマシンによれば、遊技者がホール内の煙草の臭いを感じることなく遊技ができるとともに、アロマテラピー効果によってリラックスして遊技を楽しむことができる。また、衣服や髪に煙草の臭いが付着することを防止できる。
【００２９】
また、本実施例のスロットマシンによれば、遊技の内容と連動して香りが放出されるので、遊技者の嗅覚に訴えるという従来にはない新しい演出が可能となる。
【００３０】
以上、本発明の実施例について説明したが、上記実施例に限定されるものではなく、その要旨を逸脱しない範囲において種々の変形が可能である。
【産業上の利用可能性】
【００３１】
本発明は、スロットマシン、パチンコ機、ゲーム機等の遊技機全般に適用できる。
【図面の簡単な説明】
【００３２】
【図１】本発明の実施例である遊技機の外観を示す正面図である。
【図２】本発明の実施例である遊技機の内部構成を示す側断面図である。
【図３】本発明の実施例に係る収納ケースの構成を示す側断面図である。
【図４】本発明の実施例である遊技機の内部構成を示すブロック図である。
【図５】本発明の実施例である遊技機の制御の概略を示すブロック図である。
【符号の説明】
【００３３】
１、２、３    排気口（開口部）
４    下パネル
５    前面扉
９    収納ケース
１０    取っ手
１１    香料（香料剤）
１２    電熱線（加熱手段）
１３    収納ケース保持部
１４    収納ケース開口部
１５    香料台
６１    役抽選手段
６２    特定役当選判別手段（特定役判別手段）
６７    特別役入賞判別手段（役入賞判別手段）
７７    電熱線制御手段（香り放出制御手段）
３００    サブ制御基板
【図１】
2006197999.tif 000003
【図２】
2006197999.tif 000004
【図３】
2006197999.tif 000005
【図４】
2006197999.tif 000006
【図５】
2006197999.tif 000007